(57)【要約】  本発明は、ディスプレイパネルの駆動方法、タイマーコントローラ及び液晶ディスプレイを提供する。該方法は、表示対象の画面フレームが再読込画面であると検出すると、タイマーコントローラは、動作周波数を第１周波数から第２周波数へと切り替えるステップと、前記第２周波数でソースドライバにタイマー制御信号を出力することにより、ソースドライバは、周波数が低下した駆動信号を出力して再読込画面を表示させるように駆動するステップと、を含み、前記第１周波数は、前記第２周波数より高い。上記方式によって、再読込画面表示時のソースドライバの出力の消費電力を低減させ、且つ温度が高くなって表示品質に影響を与えることを回避することができる。
2020511692.tif 000002
【特許請求の範囲】
【請求項１】
液晶ディスプレイであって、
タイマー制御信号を出力することに用いられるタイマーコントローラと、
ソースドライバとゲートドライバを含み、前記タイマー制御信号を受信することに用いられ、前記ソースドライバが前記タイマー制御信号に基づきデータ駆動信号を生成し、前記ゲートドライバが走査駆動信号を生成する、表示駆動回路と、
複数のデータ線、走査線及び複数の画素ユニットを含み、前記走査線が前記走査駆動信号を受信し、且つ前記データ線が前記データ駆動信号を受信して、対応する前記画素ユニットが表示を行うように制御する液晶ディスプレイパネルと、を含み、
前記タイマーコントローラは、
表示対象の画面フレームが再読込画面であると検出すると、第１周波数切り替え指示を出力することに用いられる制御回路と、
前記制御回路に接続され、前記第１周波数切り替え指示に基づき隣接フレームの切り替え時点で動作周波数を第１周波数から第２周波数へと切り替え、前記第２周波数でタイマー制御信号をソースドライバに出力することにより、前記ソースドライバが前記タイマー制御信号を受信した後に周波数が低下した駆動信号を出力して前記再読込画面を表示するように前記ディスプレイパネルを駆動することに用いられる信号発生回路と、を含み、
前記制御回路はさらに、表示対象の画面フレームが非再読込画面であると検出すると、第２周波数切り替え指示を出力することに用いられ、
前記信号発生回路はさらに、前記第２周波数切り替え指示に基づき動作周波数を第２周波数から第１周波数に切り替えて戻し、前記第１周波数でタイマー制御信号をソースドライバに出力することにより、前記ソースドライバが前記タイマー制御信号を受信した後、対応する駆動信号を出力して前記非再読込画面を表示するように前記ディスプレイパネルを駆動することに用いられ、
前記第１周波数は、前記第２周波数より高く、
前記再読込画面は、前記タイマーコントローラが第１周波数を動作周波数として前記ソースドライバを制御し、前記表示対象の画面フレームを表示するように駆動するときに前記ソースドライバの消費電力が設定消費電力値を超える場合、前記表示対象の画面フレームは再読込画面である、液晶ディスプレイ。
【請求項２】
前記信号発生回路は、具体的には、隣接フレームの切り替え時点で動作周波数を第２周波数から第１周波数に切り替えて戻すことに用いられる請求項１に記載の液晶ディスプレイ。
【請求項３】
前記第２周波数は、前記第１周波数の半分である請求項１に記載の液晶ディスプレイ。
【請求項４】
前記液晶ディスプレイパネルは、アレイ基板、カラーフィルム基板、及び前記アレイ基板とカラーフィルム基板との間に介在する液晶を含み、前記データ線、走査線及び画素ユニットが前記アレイ基板上に設置される請求項１に記載の液晶ディスプレイ。
【請求項５】
ディスプレイパネルの駆動方法であって、
表示対象の画面フレームが再読込画面であると検出すると、タイマーコントローラは、動作周波数を第１周波数から第２周波数へと切り替えるステップと、
前記タイマーコントローラは、前記第２周波数でソースドライバにタイマー制御信号を出力することにより、前記ソースドライバが前記タイマー制御信号を受信した後、周波数が低下した駆動信号を出力して、前記再読込画面を表示するように前記ディスプレイパネルを駆動するステップと、を含み、
前記第１周波数は、前記第２周波数より高く、
前記再読込画面は、前記タイマーコントローラが第１周波数を動作周波数として前記ソースドライバを制御し、前記表示対象の画面フレームを表示するように駆動するときに前記ソースドライバの消費電力が設定消費電力値を超える場合、前記表示対象の画面フレームが再読込画面である、ディスプレイパネルの駆動方法。
【請求項６】
前記タイマーコントローラが動作周波数を第１周波数から第２周波数へと切り替えるステップは、
前記タイマーコントローラが隣接フレームの切り替え時点で動作周波数を第１周波数から第２周波数へと切り替えるステップを含む請求項５に記載の制御方法。
【請求項７】
前記タイマーコントローラが第２周波数を動作周波数として、ソースドライバにタイマー制御信号を出力した後、
表示対象の画面フレームが非再読込画面であると検出すると、前記タイマーコントローラは、動作周波数を第２周波数から第１周波数に切り替えて戻すステップと、
前記タイマーコントローラは、前記第１周波数で前記ソースドライバにタイマー制御信号を出力することにより、前記ソースドライバが前記タイマー制御信号を受信した後、対応する駆動信号を出力して前記非再読込画面を表示するように前記ディスプレイパネルを駆動するステップと、をさらに含む請求項５に記載の制御方法。
【請求項８】
前記タイマーコントローラが動作周波数を第２周波数から第１周波数に切り替えて戻すステップは、
前記タイマーコントローラが隣接フレームの切り替え時点で動作周波数を第２周波数から第１周波数に切り替えて戻すステップを含む請求項７に記載の制御方法。
【請求項９】
前記第２周波数は、前記第１周波数の半分である請求項５に記載の制御方法。
【請求項１０】
ディスプレイパネルのタイマーコントローラであって、
表示対象の画面フレームが再読込画面であると検出すると、第１周波数切り替え指示を出力することに用いられる制御回路と、
前記制御回路に接続され、前記第１周波数切り替え指示に基づき動作周波数を第１周波数から第２周波数へと切り替え、前記第２周波数でタイマー制御信号をソースドライバに出力することにより、前記ソースドライバが前記タイマー制御信号を受信した後、周波数が低下した駆動信号を出力して前記再読込画面を表示するように前記ディスプレイパネルを駆動することに用いられる信号発生回路と、を含み、
前記第１周波数は、前記第２周波数より高く、
前記再読込画面は、前記タイマーコントローラが第１周波数を動作周波数として前記ソースドライバを制御し、前記表示対象の画面フレームを表示するように駆動するときに前記ソースドライバの消費電力が設定消費電力値を超える場合、前記表示対象の画面フレームは再読込画面である、ディスプレイパネルのタイマーコントローラ。
【請求項１１】
前記信号発生回路は、具体的には、隣接フレームの切り替え時点で動作周波数を第１周波数から第２周波数へと切り替えることに用いられる請求項１０に記載のディスプレイパネルのタイマーコントローラ。
【請求項１２】
前記制御回路はさらに、表示対象の画面フレームが非再読込画面であると検出すると、第２周波数切り替え指示を出力することに用いられ、
前記信号発生回路はさらに、前記第２周波数切り替え指示に基づき動作周波数を第２周波数から第１周波数に切り替えて戻し、前記第１周波数でタイマー制御信号をソースドライバに出力することにより、前記ソースドライバが前記タイマー制御信号を受信した後、対応する駆動信号を出力して前記非再読込画面を表示するように前記ディスプレイパネルを駆動することに用いられる請求項１０に記載のディスプレイパネルのタイマーコントローラ。
【請求項１３】
前記信号発生回路は、具体的には、隣接フレームの切り替え時点で動作周波数を第２周波数から第１周波数に切り替えて戻すことに用いられる請求項１２に記載のディスプレイパネルのタイマーコントローラ。
【請求項１４】
前記第２周波数は、前記第１周波数の半分である請求項１０に記載のディスプレイパネルのタイマーコントローラ。
【発明の詳細な説明】
【技術分野】
【０００１】
本発明は、表示技術分野に関し、特にディスプレイパネルの駆動方法、タイマーコントローラ及び液晶ディスプレイに関する。
【背景技術】
【０００２】
現在最も一般的に使用されている液晶ディスプレイは、薄膜トランジスタ（Ｔｈｉｎ  Ｆｉｌｍ  Ｔｒａｎｓｉｓｔｏｒ、ＴＦＴ）液晶ディスプレイである。ＴＦＴ液晶ディスプレイは、ソースドライバ（Ｓｏｕｒｃｅ  Ｄｒｉｖｅｒ）を用いてデータ線に表示対象の画面に対応する駆動電圧を供給して、画像を表示するようにディスプレイパネルを駆動する。
【０００３】
しかし、液晶ディスプレイが再読込画面を表示する必要がある場合、該再読込画面を駆動する時に該ソースドライバの消費電力が大きすぎ、この時、ソースドライバが該駆動電圧を形成して維持するための出力の消費電力が大きくなり、且つ、一般的な液晶表示の駆動モードでは、そのデータ線の高低電圧変化のスイッチング周波数が高いため、発熱量が大きくなる。放熱対策が良くない場合、温度が徐々に高くなり、製品の表示品質に影響を与えてしまう。
【発明の概要】
【発明が解決しようとする課題】
【０００４】
本発明は、再読込画面表示時のソースドライバの出力の消費電力を減らし、且つ温度が高くなって表示品質に影響を与えることを回避できるディスプレイパネルの駆動方法、タイマーコントローラ及び液晶ディスプレイを提供する。
【課題を解決するための手段】
【０００５】
本発明の第１態様は、ディスプレイパネルの駆動方法を提供し、表示対象の画面フレームが再読込画面であると検出すると、タイマーコントローラは動作周波数を第１周波数から第２周波数へと切り替えるステップと、前記タイマーコントローラは、前記第２周波数でソースドライバにタイマー制御信号を出力することにより、前記ソースドライバが前記タイマー制御信号を受信した後、周波数が低下した駆動信号を出力して、前記再読込画面を表示するように前記ディスプレイパネルを駆動するステップと、を含み、前記第１周波数は、前記第２周波数より高く、前記再読込画面は、前記タイマーコントローラが第１周波数を動作周波数として前記ソースドライバを制御し、前記表示対象の画面フレームを表示するように駆動するときに前記ソースドライバの消費電力が設定消費電力値を超える場合、前記表示対象の画面フレームは再読込画面である。
【０００６】
本発明の第２態様は、ディスプレイパネルのタイマーコントローラを提供し、表示対象の画面フレームが再読込画面であると検出すると、第１周波数切り替え指示を出力することに用いられる制御回路と、前記制御回路に接続され、前記第１周波数切り替え指示に基づき動作周波数を第１周波数から第２周波数へと切り替え、前記第２周波数でタイマー制御信号をソースドライバに出力することにより、前記ソースドライバが前記タイマー制御信号を受信した後、周波数が低下した駆動信号を出力して前記再読込画面を表示するように前記ディスプレイパネルを駆動することに用いられる信号発生回路と、を含み、前記第１周波数は、前記第２周波数より高く、前記再読込画面は、前記タイマーコントローラが第１周波数を動作周波数として前記ソースドライバを制御し、前記表示対象の画面フレームを表示するように駆動するときに前記ソースドライバの消費電力が設定消費電力値を超える場合、前記表示対象の画面フレームは再読込画面である。
【０００７】
本発明の第３態様は、液晶ディスプレイを提供し、タイマー制御信号を出力することに用いられるタイマーコントローラと、ソースドライバとゲートドライバを含み、前記タイマー制御信号を受信し、前記ソースドライバが前記タイマー制御信号に基づきデータ駆動信号を生成し、前記ゲートドライバが走査駆動信号を生成する、表示駆動回路と、複数のデータ線、走査線及び複数の画素ユニットを含み、前記走査線が前記走査駆動信号を受信し、且つ前記データ線が前記データ駆動信号を受信して、対応する前記画素ユニットが表示を行うように制御する液晶ディスプレイパネルと、を含み、前記タイマーコントローラは、上記タイマーコントローラであり、前記信号発生回路は、具体的には、隣接フレームの切り替え時点で動作周波数を第１周波数から第２周波数へと切り替えることに用いられ、前記制御回路はさらに、表示対象の画面フレームが非再読込画面であると検出すると、第２周波数切り替え指示を出力することに用いられ、前記信号発生回路はさらに、前記第２周波数切り替え指示に基づき動作周波数を第２周波数から第１周波数に切り替えて戻し、前記第１周波数でタイマー制御信号をソースドライバに出力することにより、前記ソースドライバが前記タイマー制御信号を受信した後、対応する駆動信号を出力して前記非再読込画面を表示するように前記ディスプレイパネルを駆動することに用いられる。
【発明の効果】
【０００８】
上記技術的手段では、タイマーコントローラは、再読込画面を検出すると、動作周波数を第１周波数から第２周波数に下げ、第２周波数のタイマー制御信号を出力し、そのタイマー制御信号を受信するソースドライバがディスプレイパネルに対し出力する駆動信号の周波数を低下させ、更にソースドライバが再読込画面を表示する時の出力の消費電力を低下させ、且つ、その駆動信号の周波数を低減させるため、その温度が高くなって表示品質に影響を与えることを回避する。
【図面の簡単な説明】
【０００９】
【図１】図１は、本発明の液晶ディスプレイの一実施形態の構造模式図である。
【図２】図２は、図１に示されるタイマーコントローラ１１０の構造模式図である。
【図３】図３は、図１に示される液晶ディスプレイパネル１３０の１つの適用シーンにおける部分構造模式図である。
【図４】図４は、図３に示される適用シーンにおいてタイマーコントローラ１１０が異なる動作周波数を使用する時の表示駆動回路の出力波形の模式図である。
【図５】図５は、本発明の液晶ディスプレイの液晶ディスプレイパネルの別の実施例の構造模式図である。
【図６】図６は、本発明のディスプレイパネルの駆動方法の一実施例のフローチャートである。
【図７】図７は、本発明のディスプレイパネルの駆動方法の別の実施例の部分フローチャートである。
【発明を実施するための形態】
【００１０】
以下の説明では、本発明をより明確に理解するために、特定のシステム構造、インタフェース、技術のような詳細を限定ではなく説明の目的で提供する。しかし、当業者であれば、これらの詳細がないほかの実施形態でも本発明を実現できることは明らかである。ほかの場合、不必要な詳細による本発明の説明が曖昧になることを回避するために、周知の装置、回路及び方法についての詳細な説明を省略する。
【００１１】
図１及び図２に示すように、図１は、本発明の液晶ディスプレイの一実施形態の構造模式図であり、図２は、タイマーコントローラの一実施形態の構造模式図である。該液晶ディスプレイは、具体的には、ＴＦＴ液晶ディスプレイである。本実施例では、該液晶ディスプレイは、接続される順に、タイマーコントローラ（Ｔｉｍｅｒ  Ｃｏｎｔｒｏｌｌｅｒ、ＴＣＯＮ）１１０、表示駆動回路１２０及び液晶ディスプレイパネル１３０を含む。そのうち、該表示駆動回路は、更にソースドライバ１２２とゲートドライバ１２３を含む。
【００１２】
タイマーコントローラ１１０は、タイマー制御信号を生成することに用いられ、具体的には、駆動基板（ＡＤ  Ｂｏａｒｄ）が送信する画像データ信号、制御信号及びクロック信号を表示駆動回路１２０に適用できるデータ信号、制御信号及びクロック信号に変換する。そのうち、タイマーコントローラ１１０は、表示駆動回路１２０のソースドライバ１２２とゲートドライバ１２３に、それぞれに対応するタイマー制御信号を出力する。
【００１３】
表示駆動回路１２０は、具体的には、該タイマー制御信号を受信し、該タイマー制御信号に基づき駆動信号を生成する。
【００１４】
そのうち、ソースドライバ１２２は、タイマーコントローラ１１０の制御システム下で、表示対象の画面フレームの画像データ信号をキャッシュメモリに記憶し、ゲート走査信号の起動に合わせて、該画像データ信号を、画素に出力される駆動電圧に変換し、ディスプレイパネル中のデータ線を駆動することに用いられる。
【００１５】
ゲートドライバ１２３は、タイマーコントローラ１１０が出力する制御信号を受信し、ゲート線に適切なスイッチング電圧を順に出力して、ディスプレイパネルのゲート線を駆動することに用いられる。
【００１６】
液晶ディスプレイパネル１３０は、該ソースドライバ１２０とゲートドライバ１３０の駆動下で、表示対象の画面フレームを表示することに用いられる。
【００１７】
具体的には、該タイマーコントローラ１１０は、相互に接続される制御回路１１１と信号発生回路１１２を含む。該タイマーコントローラ１１０は、２種類の動作周波数が予め設定され、それぞれ第１周波数と第２周波数である。そのうち、第１周波数は、第２周波数より高く、該第１周波数は、正常表示時のタイマーコントローラ１１０の動作周波数であり、該第２周波数は、再読込画面表示時のタイマーコントローラ１１０の動作周波数である。一実施例では、該第２周波数は、該第１周波数の半分であってもよい。
【００１８】
再読込画面は、タイマーコントローラ１１０が第１周波数を動作周波数として前記ソースドライバ１２２を表示対象の画面フレームを表示させるように駆動するように制御するときにソースドライバ１２２の消費電力が設定消費電力値を超える場合、該表示対象の画面フレームが再読込画面であると定義される。
【００１９】
タイマーコントローラ１１０は、正常画面表示時、第１周波数で動作し、再読込画面を表示する必要があると検出すると、第２周波数へと切り替えて動作する。動作周波数の切り替え方式は、具体的には、以下の通りである。
【００２０】
制御回路１１１は、表示対象の画面フレームが再読込画面であると検出すると、第１周波数切り替え指示を出力することに用いられる。具体的には、該タイマーコントローラ１１０が表示対象の画面フレームのデータを受信すると、制御回路１１１が該表示対象の画面フレームのデータを内部に格納された再読込画面のデータとリアルタイムに比較し、上記２つのデータが類似する又は同一であると判定すると、該表示対象の画面が再読込画面であると判定する。
【００２１】
信号発生回路１１２は、前記第１周波数切り替え指示に基づき動作周波数を第１周波数から第２周波数へと切り替え、前記第２周波数でタイマー制御信号を表示駆動回路に出力することにより、前記表示駆動回路１２０が前記タイマー制御信号に基づき前記再読込画面を表示するように液晶ディスプレイパネル１３０を駆動することに用いられる。具体的には、信号発生回路１１２は、隣接フレームの切り替え時点（Ｖ−ｂｌａｎｋ時点、すなわち該再読込画面の前の画面フレームの表示完了時）に動作周波数を第１周波数から第２周波数へと切り替えてもよい。
【００２２】
第２周波数が第１周波数より低いため、タイマーコントローラ１１０が第２周波数で表示駆動回路に該再読込画面に関連するタイマー制御信号、例えばＴＰ１（データのソースドライバからディスプレイパネルへの出力信号）、ＳＴＶ（ゲートの起動信号、すなわち該画面フレームのスタート）、ＣＫＶ（クロック信号）などの信号を出力し、すなわち該タイマー制御信号の周波数が第２周波数に低下し、従って、ソースドライバ１２２が再読込画面を表示させるように駆動するときの駆動回路の周波数が低下し（駆動信号中の高低電圧の変化周期が長くなる）、それによって、ソース表示駆動回路の出力の消費電力を低減させ、且つ電圧変化周波数が高いために発熱量が大きくなり、更に表示品質に影響を与えることを回避する。
【００２３】
例えば、図３に示すように、液晶ディスプレイパネル１３０は、複数のデータ線１３１、走査線１３３及び複数の画素ユニット１３２を含み、そのうち、該データ線１３１と走査線１３３は、縦横に設置されてもよく、画素ユニット１３２は、対応する１つのデータ線１３１と走査線１３３に接続されて、該データ線１３１と走査線１３３の出力する信号を受信して表示を実現し、該画素ユニット１３２は、ＲＧＢ三原色サブ画素ユニットを含んでもよい。具体的には、該ゲートドライバ１２３は、走査線１３３に走査駆動信号を出力する。ソースドライバ１２２は、データ線１３１にデータ駆動信号を出力し、そのうち、第１列のデータ線は、Ｒ色画素ユニット１３２にデータ信号を出力し、第２列のデータ線は、Ｇ色画素ユニット１３２にデータ信号を出力し、第３列のデータ線は、Ｂ色画素ユニット１３２にデータ信号を出力する。第１列のデータ線１３１を例に、明は１４Ｖ電圧に対応し、暗は８ｖ電圧に対応することを仮定する。この場合、タイマーコントローラ１１０が第１周波数で駆動制御を行う場合、該データ線の電圧変化波形は、図４の上の波形図に示され、タイマー制御信号が該画面が再読込画面（ｐａｔｔｅｒｎ）であると検出すると、動作周波数を第２周波数に低下させ、この時、該データ線の電圧変化波形は、図４の下の波形図に示され、明らかなように、そのデータ線の電圧変化の周波数が低下する。
【００２４】
更に、タイマーコントローラ１１０は、該再読込画面の表示完了まで制御した後、その後が正常画面表示であることを発見すると、動作周波数を第１周波数に切り替えて戻す。具体的には、以下の通りである。
【００２５】
制御回路１１１はさらに、表示対象の画面フレームが非再読込画面であると検出すると、第２周波数切り替え指示を出力することに用いられ、
【００２６】
信号発生回路１１２はさらに、前記第２周波数切り替え指示に基づき動作周波数を第２周波数から第１周波数に切り替えて戻し、前記第１周波数でタイマー制御信号をソースドライバ１２３に出力することにより、前記ソースドライバ１２３が前記タイマー制御信号を受信した後、対応する駆動信号を出力して前記非再読込画面を表示するように液晶ディスプレイパネル１３０を駆動することに用いられる。具体的には、信号発生回路１１２は、隣接フレームの切り替え時点で該動作周波数の切り替えを完了させてもよい。
【００２７】
この時、該タイマーコントローラ１１０の動作周波数が正常な第１周波数に回復したため、対応するソースドライバの出力する駆動信号の周波数も正常（図４の上の波形図）に回復する。
【００２８】
一般的には、ビデオ画面がほとんど非再読込画面であるため、本実施例によれば、正常画面の動的表示効果を確保するだけでなく、再読込画面の消費電力を低減させることができる。
【００２９】
なお、具体的な応用では、該タイマーコントローラの制御回路と信号発生回路は、同一チップに集積されてもよく、或いは同一回路によって実現されてもよいが、ここでは限定しない。
【００３０】
液晶ディスプレイの別の実施例では、図５に示すように、該液晶ディスプレイパネル５３０は、アレイ基板５３１、カラーフィルム基板５３２、及び前記アレイ基板５３１とカラーフィルム基板５３２との間に介在する液晶５３３を含む。該アレイ基板５３１は、縦横に設置されるデータ線、走査線、及び画素ユニットを含み、具体的には、図３に示すように、該データ線と走査線は、それぞれ上記表示駆動回路１２０が出力するデータ駆動信号と走査駆動信号を受信し、該画素ユニットが表示を行うように駆動する。
【００３１】
また、該タイマーコントローラは、液晶ディスプレイでの用途に限定されず、ほかの実施例では、同様にソースドライバでディスプレイパネルのデータ線に駆動信号を出力することを必要とするほかのディスプレイにも適用できる。
【００３２】
図６に示すように、図６は、本発明のディスプレイパネルの駆動方法の一実施例のフローチャートである。本実施方法は、上記実施例に記載のようなソース駆動回路に適用され、該駆動方法は、上記実施例におけるタイマーコントローラによって実行できる。該方法は、具体的には、Ｓ６０１〜Ｓ６０２を含む。
【００３３】
Ｓ６０１：タイマーコントローラは、表示対象の画面フレームが再読込画面であると検出すると、動作周波数を第１周波数から第２周波数へと切り替える。
【００３４】
例えば、該タイマーコントローラは、表示対象の画面フレームのデータを受信すると、該表示対象の画面フレームのデータを内部に格納された再読込画面のデータとリアルタイムに比較し、上記２つのデータが類似する又は同一であると判定すると、該表示対象の画面が再読込画面であると判定する。
【００３５】
Ｓ６０２：タイマーコントローラは、前記第２周波数でソースドライバにタイマー制御信号を出力することにより、前記ソースドライバが前記タイマー制御信号を受信した後、周波数が低下した駆動信号を出力して、前記再読込画面を表示するように前記ディスプレイパネルを駆動する。
【００３６】
そのうち、前記第１周波数は、前記第２周波数より高く、例えば、前記第２周波数は、前記第１周波数の半分である。
【００３７】
前記再読込画面は、前記タイマーコントローラが第１周波数を動作周波数として前記ソースドライバを制御し、前記表示対象の画面フレームを表示するように駆動するときに前記ソースドライバの消費電力が設定消費電力値を超える場合、前記表示対象の画面フレームは再読込画面である。
【００３８】
図７に示すように、図７は、本発明の表示駆動回路のタイマー制御方法の別の実施例の部分的なフローチャートである。本実施例と前の実施例との相違点は、本実施例の方法には、上記Ｓ６０１−Ｓ６０２を実行した後、Ｓ７０３〜Ｓ７０４をさらに含むことである。
【００３９】
Ｓ７０３：タイマーコントローラは、表示対象の画面フレームが非再読込画面であると検出すると、動作周波数を第２周波数から第１周波数に切り替えて戻す。
【００４０】
Ｓ７０４：タイマーコントローラは、前記第１周波数で前記ソースドライバにタイマー制御信号を出力することにより、前記ソースドライバが前記タイマー制御信号を受信した後、対応する駆動信号を出力して前記非再読込画面を表示するように前記ディスプレイパネルを駆動する。
【００４１】
そのうち、タイマーコントローラは、具体的には、隣接フレームの切り替え時点で動作周波数の第１周波数からの切り替えを完了させる。
【００４２】
上記技術的手段では、タイマーコントローラは、再読込画面を検出すると、動作周波数を第１周波数から第２周波数に下げ、第２周波数のタイマー制御信号を出力し、そのタイマー制御信号を受信するソースドライバがディスプレイパネルに対し出力する駆動信号の周波数を低下させ、更にソースドライバが再読込画面を表示するときの出力の消費電力を低減させ、且つ、その駆動信号の周波数を低下させるため、温度が高くなって表示品質に影響を与えることを回避する。
【００４３】
以上、本発明の実施形態を説明したが、本発明の特許範囲を限定するものではなく、本発明の明細書及び図面の内容を利用して作られる等価構造又は等価プロセス変換、又はほかの関連の技術分野への直接又は間接適用は、すべて本発明の特許の保護範囲に含まれる。
【図１】
2020511692.tif 000003
【図２】
2020511692.tif 000004
【図３】
2020511692.tif 000005
【図４】
2020511692.tif 000006
【図５】
2020511692.tif 000007
【図６】
2020511692.tif 000008
【図７】
2020511692.tif 000009
【国際調査報告】
2020511692.tif 000010
2020511692.tif 000011
2020511692.tif 000012
2020511692.tif 000013